(57)【特許請求の範囲】
【請求項１】
浴室用カウンターの上方にシャワー水栓を設け、シャワー水栓の下部からシャワーホースを導出してなる浴室用シャワー装置であって、前記シャワーホースの下垂部分が出入り自在な開口部を、洗面器等を置くための浴室用カウンターの後部に上下に貫通して設けたことを特徴とする浴室用シャワー装置。
【請求項２】
浴室用カウンターの上面に凹段部を形成したことを特徴とする請求項１記載の浴室用シャワー装置。
【発明の詳細な説明】
【０００１】
【発明の属する技術分野】
本発明は、浴室用シャワー装置に関するものである。
【０００２】
【従来の技術】
従来、浴室用カウンターを設けた浴室においては、浴室用カウンターの上方にシャワー水栓を設けて、そのシャワー水栓の下部からシャワーホースを導出し、浴室用カウンター後方壁面にはシャワー水栓の上方にシャワー把持部を係止する係止部を高位及び低位の２ヶ所に設ける場合が一般的である。しかしながら、上記従来例においてはシャワーホースの長さがシャワー把持部を高位係止部に係止して使用する場合を想定して設計してあるために、シャワー把持部を高位係止部に係止して使用する場合にはシャワーホースの下垂部分に余剰長さがなく、浴室用カウンターの上面に接触することはないが、シャワー把持部を低位係止部に係止して使用する場合やシャワー把持部を手で持って使用する場合においてはシャワーホースの下垂部分の余剰長さが長くなり、シャワーホースの下垂部分は浴室用カウンターの上面に横たわる格好になる。このような場合、シャワーホースの下垂部分は浴室用カウンターの上面に置いた洗面器や洗面用具などに当たったりして、邪魔なものとなり、浴室用シャワー装置を使用して体を洗ったり、洗髪する際に使用者にとって使いづらいという問題があった。
【０００３】
【発明が解決しようとする課題】
本発明は上記の点に鑑みてなされたものであり、浴室用カウンターの上方に設けたシャワー水栓の下部から導出されたシャワーホースの下垂部分が、シャワー把持部の位置に関わらず、浴室用カウンターの上面に横たわることなく、更には、浴室用カウンターの上面に落ちた水が排水され、更には、浴室用カウンターの上面に置いた洗面器等がずれて浴室用カウンターから落下することがない浴室用シャワー装置を提供することを目的とするものである。
【０００４】
【課題を解決するための手段】
上記課題を解決して本発明の目的を達成するために、浴室用カウンター１の上方にシャワー水栓２を設け、シャワー水栓２の下部からシャワーホース３を導出してなる浴室用シャワー装置であって、前記シャワーホース３の下垂部分３ａが出入り自在な開口部４を、洗面器１４等を置くための浴室用カウンター１の後部に上下に貫通して設けたものである。このように浴室用カウンター１の上方にシャワー水栓２を設け、シャワー水栓２の下部からシャワーホース３を導出してなる浴室用シャワー装置にあって、前記シャワーホース３の下垂部分３ａが出入り自在な開口部４を浴室用カウンター１の後部５に設けることで、従来よりある一般的な開口部を設けていない浴室用カウンターのようにシャワー把持部を低位の位置で使用した場合であっても、シャワーホース３の下垂部分３ａが浴室用カウンター１の後部５に設けた開口部４に出入り自在に収納されるため、シャワーホース３の下垂部分３ａが浴室用カウンター１の上面１ａに横たわることなく、浴室用カウンター１の上面１ａに置いた洗面器１４や洗面用具などに当たったりすることがなく、その結果、シャワーホース３を使用して体を洗ったり、髪を洗ったりする際にシャワーホース３の下垂部分３ａが邪魔にならず、且つ、シャワーホース３を使用する際にシャワーホース３の下垂部分３ａの余剰長さを浴室用カウンター１の下部１ｂに収納して、浴室用カウンター１の上面１ａを常に見栄えのよいものとすることができる。更には、浴室用カウンター１の後部５に設けた開口部４は排水口の役割も兼ねるので、浴室用カウンター１の上面１ａに落ちた水を排水するのに便利である。
【０００５】
また、浴室用カウンター１の上面１ａに凹段部７を形成するとよい。このように浴室用カウンター１の上面１ａに凹段部７を形成することで、浴室用カウンター１の上面１ａに形成された凹段部７に洗面器１４等を置いて浴室用シャワー装置を使用する際、洗面器１４等が浴室用カウンター１の上面１ａを流れる石鹸の混じったお湯等で滑ってずれたり、あるいは誤って手等に当たった場合でも、前記凹段部７によってずれ止めされるため、浴室用カウンター１の上面１ａから落下するようなことがない。
【０００６】
【発明の実施の形態】
本発明の一実施形態を図１乃至図２に基づいて説明する。
【０００７】
図１に示すように本発明の浴室用シャワー装置は浴室用カウンター１の上方にシャワー水栓２が配設され、シャワー水栓２の下部からはシャワーホース３が導出され、シャワーホース３の先端にはシャワー把持部６が設けてある。図中１５は浴槽である。浴室用カウンター１の後方壁面１０にはシャワー水栓２の上方にシャワー把持部６を係止する係止部１１が高位及び低位の２ヶ所に設けてある。高位に設けた高位係止部１１ａは使用者が浴室用シャワー装置を立った状態で使用する場合に、シャワー把持部６をこの高位係止部１１ａに係止すると、丁度良い高さからシャワーを浴びることができるように設けてあり、一方、低位に設けた低位係止部１１ｂは使用者が浴室用カウンター１の前に置いたいすに座った状態で使用する場合に、シャワー把持部６をこの低位係止部１１ｂに係止すると、丁度良い高さからシャワーを浴びることができるように設けてある。
【０００８】
浴室用カウンター１の上面１ａは前部から後部５に向かってなだらかに傾斜している。そして、浴室用カウンター１の後部５にはスリット状の開口部４が設けてあり、開口部４のスリット幅はシャワーホース３のホース径よりも若干大きめに設定してある。この開口部４は後述するシャワーホース３の下垂部分３ａを収納するためのものである。
【０００９】
図１に示すようにシャワー水栓２の下部から導出されたシャワーホース３はシャワー水栓２の下方で彎曲し、シャワーホース３の先端に設けられたシャワー把持部６が高位係止部１１ａに係止されている。シャワーホース３の長さはシャワー把持部６を高位係止部１１ａに係止して使用する場合を想定して設計されているため、シャワーホース３の下方に彎曲した下垂部分３ａは、シャワー把持部６を高位係止部１１ａに係止した状態では浴室用カウンター１の上面１ａには接触せず、浴室用カウンター１の上面１ａに置いた洗面器１４や洗面用具の邪魔になることはない。
【００１０】
しかしながら、図２に示すようにシャワー把持部６を低位係止部１１ｂに係止した状態ではシャワーホース３の下方に彎曲した下垂部分３ａの余剰長さが長くなるため、従来よりある一般的な開口部を設けていない浴室用カウンターにおいては、シャワーホースの下垂部分が浴室用カウンターの上面に横たわり、浴室用カウンターの上面に置いた洗面器や洗面用具に当たったりして邪魔になる。ところが、本発明では前述したように浴室用カウンター１の後部５にシャワーホース３の下垂部分３ａを収納するための開口部４を設けてあるため、シャワー把持部６を図２に示す低位係止部１１ｂに係止して使用する場合や、あるいは高位係止部１１ａよりも低い位置に持ってきて使用する場合であっても、シャワーホース３の下垂部分３ａの余剰長さ分が出入り自在に前記開口部４内に収納されるため、前記従来例のようにシャワーホース３の下垂部分３ａが浴室用カウンター１の上面１ａに横たわることはなく、浴室用カウンター１の上面１ａに置いた洗面器１４や洗面用具などに当たったりして邪魔になることはない。しかも、シャワーホース３を使用する際にシャワーホース３の下垂部分３ａの余剰長さを浴室用カウンター１の下部１ｂに収納するので、浴室用カウンター１の上面１ａを常に整頓された見栄えのよい状態とすることができる。
【００１１】
更に、浴室用カウンター１の後部５に設けた前述のスリット状の開口部４は排水口の役割も兼ねるので、浴室用カウンター１の上面１ａに落ちた水を浴室用カウンター１の下部１ｂに排水することができる。更に浴室用カウンター１の上面１ａは前部から後部５に向かってなだらかに傾斜しているので、浴室用カウンター１の上面１ａに落ちた水を後部５に設けた開口部４にスムーズに導くことができ、効果的な排水を行うことができる。また、このように浴室用カウンター１の上面１ａが前部から後部５に向かってなだらかに傾斜していることで、浴室用カウンター１の上面１ａに置いた洗面器１４等が浴室用カウンター１の下部１ｂに落下しにくくなる。
【００１２】
次に本発明の他の実施形態を図３乃至図４に基づいて説明する。
【００１３】
図３乃至図４に示すように本実施形態の浴室用シャワー装置には浴室用カウンター１の上面１ａに半円筒状の凹段部７が形成され、凹段部７の後部８にはスリット状の開口部９が設けられ、そのスリット幅はシャワーホース３のホース径よりも若干大きめに設定してある。その他の構成については前述の実施形態と基本的に同じである。
【００１４】
図３に示すようにシャワー水栓２の上方には鏡１２が配設され、その側方にはシャワー把持部６を係止する係止部１３が設けられている。本実施形態ではシャワー把持部６を係止部１３に係止した状態でシャワーホース３の下垂部分３ａの余剰長さ分は凹段部７の後部８に設けられたスリット状の開口部９に収納されて、浴室用カウンター１の下部１ｂに下垂させるようになっている。そして、シャワー把持部６を持ってシャワーホース３を使用する場合でも、凹段部７の後部８に設けた開口部９をシャワーホース３が出入り自在に、且つ、スリット方向に移動自在に動くことができ、しかも、シャワーホース３の下垂部分３ａを常に浴室用カウンター１の下部１ｂに収納することができる。このため、前述の実施形態と同様にシャワーホース３の下垂部分３ａが浴室用カウンター１の上面１ａに設けた凹段部７に横たわることなく、凹段部７に置いた洗面器１４や洗面用具などに当たったりして邪魔になることはない。しかも、シャワーホース３を使用する際にシャワーホース３の下垂部分３ａの余剰長さを浴室用カウンター１の下部１ｂに収納するので、浴室用カウンター１の上面１ａを常に整頓された見栄えのよい状態とすることができる。
【００１５】
更に本実施形態では図４に示すように浴室用カウンター１の上面１ａに半円筒状の凹段部７を形成してあるので、該凹段部７に洗面器１４を置いてシャワーホース３を使用する際、洗面器１４が浴室用カウンター１の上面１ａを流れる石鹸の混じったお湯等で滑ってずれたり、あるいは誤って手等に当たった場合でも、該凹段部７によってずれ止めされるため、浴室用カウンター１の上面１ａから落下するようなことがない。
【００１６】
尚、前述の実施形態と同様に浴室用カウンター１の上面１ａに形成された凹段部７の後部８に形成されたスリット状の開口部９は排水口の役割も兼ねるので、凹段部７に落ちた水を浴室用カウンター１の下部１ｂに排水することができる。更に凹段部７の底面を浴室用カウンター１の前部から後部５に向かってなだらかに傾斜させると、凹段部７に落ちた水を凹段部７の後部５に設けた開口部４にスムーズに導くことができるので、効果的な排水を行うことができる。
【００１７】
【発明の効果】
本発明の請求項１記載の発明にあっては、浴室用カウンターの上方にシャワー水栓を設け、シャワー水栓の下部からシャワーホースを導出してなる浴室用シャワー装置において、前記シャワーホースの下垂部分が出入り自在な開口部を、洗面器等を置くための浴室用カウンターの後部に上下に貫通して設けたことで、シャワーホースの下垂部分が開口部に出入り自在に収納されるため、シャワーホースの下垂部分が浴室用カウンターの上面に横たわったり、浴室用カウンターの上面に置いた洗面器や洗面用具などに当たったりすることがなく、その結果、シャワーホースを使用して体を洗ったり、髪を洗ったりする際にシャワーホースの下垂部分が邪魔にならず、且つ、シャワーホースを使用する際にシャワーホースの下垂部分の余剰長さを浴室用カウンターの下部に収納して、浴室用カウンターの上面を常に見栄えのよいものとすることができる。更には、浴室用カウンターの後部に設けた開口部が排水口の役割も兼ねるので、浴室用カウンターの上面を洗い流す場合等に便利である。
【００１８】
請求項２記載の発明にあっては、請求項１記載の発明の効果に加えて、浴室用カウンターの上面に凹段部７を形成することで、浴室用カウンターの上面に形成された凹段部に洗面器を置いて浴室用シャワー装置を使用する際、洗面器が浴室用カウンターの上面を流れる石鹸の混じったお湯等で滑ってずれたり、あるいは誤って手等に当たった場合でも、前記凹段部によってずれ止めされるため、浴室用カウンターの上面から落下するようなことがない。
【図面の簡単な説明】
【図１】本発明の一実施形態の概略斜視図である。
【図２】同上の概略斜視図である。
【図３】同上の他の実施形態の概略斜視図である。
【図４】同上の要部斜視図である。
【符号の説明】
１  浴室用カウンター
１ａ  上面
２  シャワー水栓
３  シャワーホース
３ａ  下垂部分
４  開口部
５  後部
１４  洗面器
【図１】
0003591311.tif 000002
【図２】
0003591311.tif 000003
【図３】
0003591311.tif 000004
【図４】
0003591311.tif 000005